(57)【要約】  外套管において２つの医療器具を連動させる機能を満足したうえで、低コスト化や構成の簡略化を図ることができる内視鏡用外科手術装置及び案内装置を提供する。体壁に穿刺されて内視鏡及び処置具を体腔内に案内する外套管３００は、内視鏡及び処置具の進退移動を連動させる連動部材６００を備える。連動部材６００は、内視鏡に連結される第１スリーブ６０２と、処置具に連結される第２スリーブ６０４と、第１スリーブ６０２と第２スリーブ６０４とを連結する弾性体を有する連結部材６０６とから構成される。これにより、連結部材６０６の伸張が小さいときは処置具の進退移動に対して内視鏡が遅い応答性で連動し、連結部材６０６の伸張が大きくなると処置具の進退移動に対して内視鏡が速い応答性で連動する。
2017018138.tif 000002
【特許請求の範囲】
【請求項１】
第１挿入部を有する第１医療器具と、
第２挿入部を有する第２医療器具と、
前記第１挿入部と前記第２挿入部とが挿通され、前記第１挿入部と前記第２挿入部とを体腔内に案内する筒状の外套管と、
前記外套管の内部に配置され、前記外套管の内部に挿通された前記第１挿入部を保持する第１保持部であって、前記第１挿入部を保持した状態で前記外套管の軸方向に移動する第１保持部と、
前記外套管の内部に配置され、前記外套管の内部に挿通された前記第２挿入部を保持する第２保持部であって、前記第１挿入部を保持した状態で前記外套管の軸方向に移動する第２保持部と、
前記第１保持部に固定された第１固定部と、前記第２保持部に固定された第２固定部とを有する連結部材であって、前記第１固定部と前記第２固定部との間に弾性体を有する連結部材と、
前記外套管の軸方向への前記第１保持部の移動を妨げる抵抗力を発生する抵抗力発生部と、
を備える内視鏡用外科手術装置。
【請求項２】
前記連結部材の前記第１固定部と前記第２固定部との間の自然長をＬ１とし、前記第２固定部が前記外套管に相対的に移動した際の前記第１固定部と前記第２固定部との距離をＬ２としたとき、前記連結部材は、Ｌ１よりもＬ２の距離が長くなると、前記外套管の軸方向に沿って前記第１固定部と前記第２固定部とを互いに近づける方向に付勢する力を発生する、請求項１に記載の内視鏡用外科手術装置。
【請求項３】
前記連結部材は、Ｌ１よりもＬ２の距離が長くなるほど、前記外套管の軸方向に沿って前記第１固定部と前記第２固定部とを互いに近づける方向に付勢する力が大きくなる、請求項２に記載の内視鏡用外科手術装置。
【請求項４】
前記連結部材の前記第１固定部と前記第２固定部との間の自然長をＬ１とし、前記第２固定部が前記外套管に相対的に移動した際の前記第１固定部と前記第２固定部との距離をＬ２としたとき、前記連結部材は、Ｌ１よりもＬ２の距離が短くなると、前記外套管の軸方向に沿って前記第１固定部と前記第２固定部とを互いに遠ざける方向に付勢する力を発生する、請求項１に記載の内視鏡用外科手術装置。
【請求項５】
前記連結部材は、Ｌ１よりもＬ２の距離が短くなるほど、前記外套管の軸方向に沿って前記第１保持部と前記第２保持部とを互いに遠ざける方向に付勢する力が大きくなる、請求項４に記載の内視鏡用外科手術装置。
【請求項６】
前記抵抗力発生部は、前記第１保持部と前記外套管との間に設けられる、請求項１から５のいずれか１項に記載の内視鏡用外科手術装置。
【請求項７】
前記抵抗力発生部は、前記第１挿入部と前記外套管との間に設けられる、請求項１から５のいずれか１項に記載の内視鏡用外科手術装置。
【請求項８】
前記外套管は、前記第１挿入部に接して前記外套管の内部空間の気密を確保する弁部材を有し、
前記抵抗力発生部は、前記第１保持部と前記弁部材との間に設けられる、
請求項７に記載の内視鏡用外科手術装置。
【請求項９】
前記第１医療器具は、前記第１挿入部の先端に観察部が設けられた内視鏡であり、
前記第２医療器具は、前記第２挿入部の先端に処置部が設けられた処置具である、
請求項１から８のいずれか１項に記載の内視鏡用外科手術装置。
【請求項１０】
第１医療器具の第１挿入部と第２医療器具の第２挿入部とが挿通され、前記第１挿入部と前記第２挿入部とを体腔内に案内する筒状の外套管と、
前記外套管の内部に配置され、前記外套管の内部に挿通された前記第１挿入部を保持する第１保持部であって、前記第１挿入部を保持した状態で前記外套管の軸方向に移動する第１保持部と、
前記外套管の内部に配置され、前記外套管の内部に挿通された前記第２挿入部を保持する第２保持部であって、前記第１挿入部を保持した状態で前記外套管の軸方向に移動する第２保持部と、
前記第１保持部に固定された第１固定部と、前記第２保持部に固定された第２固定部とを有する連結部材であって、前記第１固定部と前記第２固定部との間に弾性体を有する連結部材と、
前記外套管の軸方向への前記第１保持部の移動を妨げる抵抗力を発生する抵抗力発生部と、
を備える案内装置。
【発明の詳細な説明】
【技術分野】
【０００１】
本発明は、内視鏡用外科手術装置及び案内装置に係り、特に内視鏡と処置具とを連動させる内視鏡用外科手術装置及び案内装置に関する。
【背景技術】
【０００２】
体表皮膚より腹腔内に挿入する内視鏡器具として腹腔鏡が知られている。この腹腔鏡を用いた手術（腹腔鏡手術）は、手術創が開腹又は開胸手術等に比べて小さく、術後の臥床期間を短縮することができることから、近年多くの手術で普及している。【０００３】
一般に腹腔鏡手術（たとえば、腹腔鏡下胆嚢摘出手術など）では、処置を行う術者と、腹腔鏡の操作を行うスコピストとが存在し、処置と腹腔鏡の操作とが分かれて行われる。このため、手術中は、処置をするのに最適な画像が得られるように、術者がスコピストに対して逐次指示を与えながら処置が行われる。【０００４】
しかしながら、術者がスコピストに指示を与える方式では、真に術者が望む画像を得るのが難しく、術者にストレスがかかるという問題がある。また、術者が指示を出してからスコピストが操作するため、操作に時間がかかるという問題もある。さらに、患者の腹壁上で術者の手とスコピストの手が干渉することがあるため、操作が煩雑となるという問題もある。【０００５】
これに対し、本願出願人は、内視鏡と処置具とを外套管に挿入した状態で、内視鏡と処置具を連動させる技術を提案している（例えば、特許文献１参照）。【０００６】
この技術によれば、処置具の進退移動に対して遊びをもって内視鏡が進退移動するので、処置具が軸方向に微小変位した場合に観察対象の大きさが変動してしまうことを防止することができ、遠近感を適切に保つことができ、安定した観察画像を提供することができる。【０００７】
また、処置具が軸方向に大きく変位した場合には、それに連動して内視鏡によって得られる観察画像の範囲が変更されるので、処置具の操作に応じて観察対象の大きさが変化し、術者が望む画像を簡単に得ることが可能となり、操作性が向上する。【０００８】
したがって、術者の負担を増やすことなく、簡単な操作で、術者が望む画像を容易に得ることができる。
【先行技術文献】
【特許文献】
【０００９】
【特許文献１】国際公開２０１５／０３３９０９号公報
【発明の概要】
【発明が解決しようとする課題】
【００１０】
ところで、外套管においては低コスト化や構成の簡略化が大きな課題であり、特に内視鏡と処置具とを連動させる機能を満足したうえで、低コスト化や構成の簡略化を図ることが望まれている。【００１１】
本発明は、このような事情に鑑みてなされたもので、外套管において２つの医療器具を連動させる機能を満足したうえで、低コスト化や構成の簡略化を図ることができる内視鏡用外科手術装置及び案内装置を提供することを目的とする。
【課題を解決するための手段】
【００１２】
上記目的を達成するために、本発明の一の態様に係る内視鏡用外科手術装置は、第１挿入部を有する第１医療器具と、第２挿入部を有する第２医療器具と、第１挿入部と第２挿入部とが挿通され、第１挿入部と第２挿入部とを体腔内に案内する筒状の外套管と、外套管の内部に配置され、外套管の内部に挿通された第１挿入部を保持する第１保持部であって、第１挿入部を保持した状態で外套管の軸方向に移動する第１保持部と、外套管の内部に配置され、外套管の内部に挿通された第２挿入部を保持する第２保持部であって、第１挿入部を保持した状態で外套管の軸方向に移動する第２保持部と、第１保持部に固定された第１固定部と、第２保持部に固定された第２固定部とを有する連結部材であって、第１固定部と第２固定部との間に弾性体を有する連結部材と、外套管の軸方向への第１保持部の移動を妨げる抵抗力を発生する抵抗力発生部と、を備える。【００１３】
本態様によれば、１つの外套管を介して２つの医療器具を体腔内に挿入でき、体壁への穿刺箇所が１カ所で済むため、低侵襲（体への負担が少ない）な手術を行うことができる。【００１４】
また、第１医療器具を保持した第１保持部と第２医療器具を保持した第２保持部とは、弾性体を有する連結部材により連結されるため、第１医療器具と第２医療器具とを応答を遅らせて連動動作させることができる。【００１５】
これによって、一人の術者が片手で２つの医療器具の進退操作を同時に行うことができ、かつ、一方の医療器具の軸方向の微小変位（小振幅の進退操作）に対する他方の医療器具の不要な追従を防止することができる。例えば、第１医療器具を内視鏡とした場合に、内視鏡の視野（撮影領域）を第２医療器具での処置部分に追従させることができ、常に処置に最適な画像を術者に提供することができる（術者が望む画像をストレスなく表示させることができる）。一方、第２医療器具の軸方向の微小変位に対しては内視鏡が一時的に応答せず不要に変位しないため、内視鏡により撮影される画像の画面が揺れることを防止でき、術者にとって見やすい画像を提供することができる。【００１６】
また、第１保持部と第２保持部とを連動させるための構成が、第１保持部と第２保持部とを弾性体を有する連結部材で連結する簡易なものであることから、低コスト化や構成の簡略化を図ることができる。【００１７】
本発明の更に他の態様に係る内視鏡用外科手術装置において、連結部材の第１固定部と第２固定部との間の自然長をＬ１とし、第２固定部が外套管に相対的に移動した際の第１固定部と第２固定部との距離をＬ２としたとき、連結部材は、Ｌ１よりもＬ２の距離が長くなると、外套管の軸方向に沿って第１固定部と第２固定部とを互いに近づける方向に付勢する力を発生する態様とすることができる。【００１８】
本発明の更に他の態様に係る内視鏡用外科手術装置において、連結部材は、Ｌ１よりもＬ２の距離が長くなるほど、外套管の軸方向に沿って第１固定部と第２固定部とを互いに近づける方向に付勢する力が大きくなる態様とすることができる。【００１９】
本発明の更に他の態様に係る内視鏡用外科手術装置において、連結部材の第１固定部と第２固定部との間の自然長をＬ１とし、第２固定部が外套管に相対的に移動した際の第１固定部と第２固定部との距離をＬ２としたとき、連結部材は、Ｌ１よりもＬ２の距離が短くなると、外套管の軸方向に沿って第１固定部と第２固定部とを互いに遠ざける方向に付勢する力を発生する態様とすることができる。【００２０】
本発明の更に他の態様に係る内視鏡用外科手術装置において、連結部材は、Ｌ１よりもＬ２の距離が短くなるほど、外套管の軸方向に沿って第１保持部と第２保持部とを互いに遠ざける方向に付勢する力が大きくなる態様とすることができる。【００２１】
本発明の更に他の態様に係る内視鏡用外科手術装置において、抵抗部は、第１保持部と外套管との間に設けられる態様とすることができる。【００２２】
本発明の更に他の態様に係る内視鏡用外科手術装置において、抵抗部は、第１挿入部と外套管との間に設けられる態様とすることができる。【００２３】
本発明の更に他の態様に係る内視鏡用外科手術装置において、外套管は、第１挿入部に接して外套管の内部空間の気密を確保する弁部材を有し、抵抗部は、第１保持部と弁部材との間に設けられる態様とすることができる。【００２４】
本発明の更に他の態様に係る内視鏡用外科手術装置において、第１医療器具は、第１挿入部の先端に観察部が設けられた内視鏡であり、第２医療器具は、第２挿入部の先端に処置部が設けられた処置具である態様とすることができる。【００２５】
また、上記目的を達成するために、本発明の他の態様に係る案内装置は、第１医療器具の第１挿入部と第２医療器具の第２挿入部とが挿通され、第１挿入部と第２挿入部とを体腔内に案内する筒状の外套管と、外套管の内部に配置され、外套管の内部に挿通された第１挿入部を保持する第１保持部であって、第１挿入部を保持した状態で外套管の軸方向に移動する第１保持部と、外套管の内部に配置され、外套管の内部に挿通された第２挿入部を保持する第２保持部であって、第１挿入部を保持した状態で外套管の軸方向に移動する第２保持部と、第１保持部に固定された第１固定部と、第２保持部に固定された第２固定部とを有する連結部材であって、第１固定部と第２固定部との間に弾性体を有する連結部材と、外套管の軸方向への第１保持部の移動を妨げる抵抗力を発生する抵抗力発生部と、を備える。【００２６】
本態様によれば、１つの外套管を介して２つの医療器具を体腔内に挿入でき、体壁への穿刺箇所が１カ所で済むため、低侵襲（体への負担が少ない）な手術を行うことができる。【００２７】
また、第１医療器具を保持した第１保持部と第２医療器具を保持した第２保持部とは、弾性体を有する連結部材により連結されるため、第１医療器具と第２医療器具とを応答を遅らせて連動動作させることができる。【００２８】
これによって、一人の術者が片手で２つの医療器具の進退操作を同時に行うことができ、かつ、一方の医療器具の軸方向の微小変位（小振幅の進退操作）に対する他方の医療器具の不要な追従を防止することができる。例えば、第１医療器具を内視鏡とした場合に、内視鏡の視野（撮影領域）を第２医療器具での処置部分に追従させることができ、常に処置に最適な画像を術者に提供することができる（術者が望む画像をストレスなく表示させることができる）。一方、第２医療器具の軸方向の微小変位に対しては内視鏡が一時的に応答せず不要に変位しないため、内視鏡により撮影される画像の画面が揺れることを防止でき、術者にとって見やすい画像を提供することができる。【００２９】
また、第１保持部と第２保持部とを連動させるための構成が、第１保持部と第２保持部とを弾性体を有する連結部材で連結する簡易なものであることから、低コスト化や構成の簡略化を図ることができる。
【発明の効果】
【００３０】
本発明によれば、外套管において２つの医療器具を連動させる機能を満足したうえで、低コスト化や構成の簡略化を図ることができる。
【図面の簡単な説明】
【００３１】
【図１】図１は、一実施形態に係る内視鏡用外科手術装置の概略構成図である。
【図２】図２は、内視鏡挿入部の先端面を示した平面図である。
【図３】図３は、外套管を示した外観斜視図である。
【図４】図４は、外套管の内部構造に関して本発明の実施の形態の参考となる参考形態を示した断面図である。
【図５】図５は、図４の一部を拡大して示した拡大断面図である。
【図６】図６は、図５におけるＶＩ−ＶＩ矢視断面図である。
【図７】図７は、図４の参考形態におけるスライダ（連動部材）を後左上方向から示した斜視図である。
【図８】図８は、図４の参考形態におけるスライダ（連動部材）を後右上方向から示した斜視図である。
【図９】図９は、図４の参考形態におけるスライダ（連動部材）の作用の説明に使用した説明図である。
【図１０】図１０は、図４の参考形態におけるスライダ（連動部材）の作用の説明に使用した説明図である。
【図１１】図１１は、図４の参考形態におけるスライダ（連動部材）の作用の説明に使用した説明図である。
【図１２】図１２は、内視鏡用外科手術装置を使用して患者の体腔内の患部の処置を行う際の操作の様子を示した説明図であり、（Ａ）部は操作前の状態を示し、（Ｂ）部は不感帯領域で処置具挿入部を前進操作した状態を示し、（Ｃ）部は不感帯領域で処置具挿入部を後退操作した状態を示す。
【図１３】図１３は、内視鏡用外科手術装置を使用して患者の体腔内の患部の処置を行う際の操作の様子を示した説明図であり、（Ａ）部は操作前の状態を示し、（Ｂ）部は感帯領域で処置具挿入部を前進操作した状態を示し、（Ｃ）部は感帯領域で処置具挿入部を後退操作した状態を示す。
【図１４】図１４は、外套管を基準軸に沿って切断した断面において、本発明の実施の形態の連動部材の構成を示した断面図である。
【図１５】図１５は、図１４における連動部材の周辺部分を拡大して示した拡大図である。
【図１６】図１６は、図１５におけるＸＶＩ−ＸＶＩ矢視断面図である。
【図１７】図１７は、抵抗力発生部を示した断面図である。
【図１８】図１８は、本発明の実施の形態の連動部材の作用の説明に使用した説明図である。
【図１９】図１９は、本発明の実施の形態の連動部材の作用の説明に使用した説明図である。
【図２０】図２０は、本発明の実施の形態の連動部材の作用の説明に使用した説明図であり、（Ａ）部は連結部材が自然長の状態を示し、（Ｂ）部は処置具挿入部を小さく前進移動させた直後の状態を示し、（Ｃ）部は前進移動後に処置具挿入部を停止させて保持した後の状態を示す。
【図２１】図２１は、本発明の実施の形態の連動部材の作用の説明に使用した説明図であり、（Ａ）部は連結部材が自然長の状態を示し、（Ｂ）部は処置具挿入部を大きく前進移動させた直後の状態を示し、（Ｃ）部は前進移動後に処置具挿入部を停止させて保持した後の状態を示す。
【図２２】図２２は、本発明の実施の形態の連動部材における連結部材の他の実施の形態を示した図である。
【図２３】図２３は、図２２の連結部材が自然長から伸張した状態を示した図である。
【図２４】図２４は、図２２の連結部材が自然長から圧縮した状態を示した図である。
【図２５】図２５は、本発明の実施の形態の連動部材における第２スリーブの他の実施の形態を示した図である。
【発明を実施するための形態】
【００３２】
以下、添付図面に従って本発明の好ましい実施の形態について詳説する。なお、いずれの図面も説明のために要部を強調して示したものであり、実際の寸法とは異なる場合がある。
【００３３】
図１は、本実施形態に係る内視鏡用外科手術装置の概略構成図である。図１に示すように内視鏡用外科手術装置１０は、第１医療器具の一形態として患者の体腔内を観察する内視鏡１００と、第２医療器具の一形態として患者の体腔内の患部を検査又は処置するための処置具２００と、体壁に刺入されて内視鏡１００及び処置具２００を体腔内に案内する案内装置としての外套管３００と、を備える。なお、外套管３００が体腔内に案内する第１医療器具及び第２医療器具は、特定の種類のものに限らず、体腔内に挿入される第１挿入部を有する第１医療器具と、体腔内に挿入される第２挿入部を有する第２医療器具であれば任意の種類のものとすることできる。
【００３４】
内視鏡１００は、例えば腹腔鏡などの硬性内視鏡であり、体腔内に挿入され、細長い硬性の筒状体により外周部が囲まれた挿入部１０２（以下、「内視鏡挿入部１０２」という。）と、内視鏡挿入部１０２の基端側に連設され、細長い軟性の筒状体により外周部が囲まれたケーブル部１０４とを備える。
【００３５】
ケーブル部１０４は、内視鏡挿入部１０２の基端から延在するケーブルやライトガイドなどの線材を、例えばポリ塩化ビニルなどの軟性の絶縁性部材により被覆して内部に収容した軟性のケーブルの部分を示す。
【００３６】
このケーブル部１０４の延在先の端部には、不図示のコネクタが設けられており、そのコネクタを介して制御装置であるプロセッサ装置１０８と光源装置１１０の各々が着脱自在に接続される。また、プロセッサ装置１０８は、ケーブルを介してモニタ１１２に接続される。
【００３７】
図２に示すように、内視鏡挿入部１０２の先端面１１４には、観察窓１１６及び照明窓１１８及び１１８が設けられる。
【００３８】
観察窓１１６は内視鏡１００の観察部の構成要素であり、その観察窓１１６の後方には観察光学系の対物レンズや、この対物レンズの結像位置に配置されたＣＣＤ（Charge Coupled Device）イメージセンサやＣＭＯＳ（Complementary Metal Oxide Semiconductor）イメージセンサなどの固体撮像素子が配設されている。この固体撮像素子に接続された信号ケーブル（不図示）は図１の内視鏡挿入部１０２及びケーブル部１０４を挿通してコネクタ（不図示）まで延設され、プロセッサ装置１０８に接続される。観察窓１１６から取り込まれた観察像は、撮像素子の受光面に結像されて電気信号（撮像信号）に変換され、この電気信号が信号ケーブルを介してプロセッサ装置１０８に出力されて映像信号に変換される。そして、この映像信号はプロセッサ装置１０８に接続されたモニタ１１２に出力され、モニタ１１２の画面上に観察画像（内視鏡画像）が表示される。
【００３９】
図２の照明窓１１８及び１１８の後方にはライトガイド（不図示）の出射端が配設されている。このライトガイドは、図１の内視鏡挿入部１０２及びケーブル部１０４を挿通してコネクタ（不図示）内に入射端が配設される。したがって、このコネクタを光源装置１１０に連結することによって、光源装置１１０から照射された照明光がライトガイドを介して照明窓１１８及び１１８に伝送され、照明窓１１８及び１１８から前方に照射される。なお、図２では、内視鏡挿入部１０２の先端面１１４には２つの照明窓１１８及び１１８が配設されているが、照明窓１１８の数には限定はなく、その数は１つでもよいし３つ以上であってもよい。
【００４０】
図１に示すように、処置具２００は、例えば鉗子からなり、体腔内に挿入される細長い挿入部２０２（以下、「処置具挿入部２０２」という。）と、処置具挿入部２０２の基端側に設けられ、術者に把持される操作部２０４と、処置具挿入部２０２の先端側に設けられ、操作部２０４の操作によって動作可能な処置部２０６と、を備える。
【００４１】
処置具挿入部２０２は、筒状のシース２０８と、このシース２０８内に軸心方向に移動自在に挿通された操作軸（不図示）とが設けられている。さらに操作部２０４は、固定ハンドル２１０とこの固定ハンドル２１０に対して回動ピンを介して回動可能に連結された可動ハンドル２１４が設けられている。そして、可動ハンドル２１４に操作軸の基端部が連結されている。
【００４２】
処置部２０６には、開閉可能な一対の把持部材が設けられている。これらの把持部材は操作軸の先端部に図示しない駆動機構を介して連結されている。そして、操作部２０４の可動ハンドル２１４の回動操作に伴い操作軸及び駆動機構を介して処置部２０６の把持部材が開閉されるようになっている。
【００４３】
なお、処置具２００としては、鉗子に限らず、例えば、レーザープローブ、縫合器、電気メス、持針器、超音波デバイス、吸引器などの他の処置具であってもよい。
【００４４】
図１に示すように、外套管３００は、基端側から内部に挿入された内視鏡挿入部１０２と処置具挿入部２０２とを挿通させて先端側から繰り出す。この外套管３００を体壁に刺入し、基端側を体外に、先端側を体腔内に配置することにより、１つの外套管３００で内視鏡挿入部１０２と処置具挿入部２０２とを体腔内に案内する。また、外套管３００は、詳細を後述するように内視鏡挿入部１０２と処置具挿入部２０２とを連動させて進退移動させる連動機能を備えており、例えば、処置具挿入部２０２のみの進退操作によって内視鏡挿入部１０２も進退移動させることができ、内視鏡挿入部１０２の進退操作を行うことなく適切な内視鏡画像を得ることを可能にしている。外套管３００の構成、作用の詳細については後述する。
【００４５】
図３は、外套管３００を示した外観斜視図である。
【００４６】
同図に示すように、外套管３００は、全体が長細い円筒状の形状を有し、その中心軸である長手軸を示す基準軸３００ａに平行して、内視鏡１００の内視鏡挿入部１０２が進退自在に挿通される内視鏡挿通路３０６と処置具２００の処置具挿入部２０２が進退自在に挿通される処置具挿通路３０８とを有する。
【００４７】
内視鏡挿通路３０６の中心軸を内視鏡挿通軸３０６ａというものとし、処置具挿通路３０８の中心軸を処置具挿通軸３０８ａというものとすると、内視鏡挿通軸３０６ａ及び処置具挿通軸３０８ａは、互いに平行であり、基準軸３００ａとも平行である。これらの内視鏡挿通軸３０６ａと処置具挿通軸３０８ａは、内視鏡挿通路３０６と処置具挿通路３０８の各々に挿通された内視鏡挿入部１０２と処置具挿入部２０２の中心軸の位置に相当する。また、本実施の形態では、基準軸３００ａ、内視鏡挿通軸３０６ａ、及び処置具挿通軸３０８ａは同一平面上に配置される。ただし、基準軸３００ａ、内視鏡挿通軸３０６ａ、及び処置具挿通軸３０８ａが同一平面上に配置された構成でなくてもよい。
【００４８】
なお、外套管３００が配置された空間の位置や向きに関して、基準軸３００ａに沿った方向の基端面３０２から先端面３０４への向きを前、基準軸３００ａから内視鏡挿通軸３０６ａへの向きを左として、前、後、左、右、上、及び下という用語を用いる。
【００４９】
外套管３００の基端面３０２には、内視鏡挿入部１０２を内視鏡挿通路３０６に挿入する基端開口である第１基端開口３１０と、処置具挿入部２０２を処置具挿通路３０８に挿入する基端開口である第２基端開口３１４とが設けられる。
【００５０】
外套管３００の先端面３０４には、内視鏡挿通路３０６に挿入された内視鏡挿入部１０２を外部に繰り出す先端開口である第１先端開口３１２と、処置具挿通路３０８に挿入された処置具挿入部２０２を外部に繰り出す先端開口である第２先端開口３１６とが設けられる。
【００５１】
ここで、外套管３００の内部構造について、本発明の実施の形態を説明する前に、その構成、作用効果の参考となる参考形態について図４〜図１３を用いて説明する。本発明の実施の形態については図１４〜図２５を用いて後述する。
【００５２】
図４は、外套管３００の内部構造の参考形態を示した断面図であり、基準軸３００ａを含み、かつ、上下方向に直交する平面で切断した（基準軸３００ａに沿って左右方向に切断した）断面を示す。
【００５３】
同図に示すように、外套管３００は、前後方向のほぼ全体を占める外套管長筒体３２０と、外套管３００の後端（基端）に取り付けられる基端キャップ３４０と、先端部に取り付けられる先端キャップ３６０と、外套管３００の内部に配置される連動部材の一形態であるスライダ４００と、を有する。
【００５４】
外套管長筒体３２０は、硬質樹脂や金属等により基準軸３００ａを中心軸とする長細い円筒状に形成されており、外周を囲む外壁３２２と、外套管長筒体３２０の基端から先端まで貫通する空洞部３２４とを有する。
【００５５】
空洞部３２４は、内視鏡挿通路３０６と処置具挿通路３０８となる空間を内包し、スライダ４００等を収容する。
【００５６】
基端キャップ３４０は、硬質樹脂や金属等により外套管長筒体３２０の外径よりも拡径された円柱状に形成され、その後側の端面が外套管３００の基端面３０２を構成する。この基端キャップ３４０には、内視鏡挿通路３０６と処置具挿通路３０８の各々の一部を形成する貫通孔３４２と貫通孔３４４とが設けられる。基端面３０２において、貫通孔３４２の開口が上述の第１基端開口３１０に相当し、貫通孔３４４の開口が上述の第２基端開口３１４に相当する。
【００５７】
また、貫通孔３４２及び３４４には、それぞれ弁部材３４６及び３４８が設けられる。これらの弁部材３４６及び３４８は、例えば、内視鏡挿入部１０２や処置具挿入部２０２を挿通する場合にだけ開口して内視鏡挿入部１０２や処置具挿入部２０２の外周面（側面）にほぼ隙間なく密接する。これにより弁部材３４６及び３４８よりも先端側の空間の気密性が確保され、体腔内に注入した気腹ガスの体外への漏れ等が軽減される。
【００５８】
先端キャップ３６０は、硬質樹脂や金属等により形成されており、その前側の端面が外套管３００の先端面３０４を構成する。この先端キャップ３６０には、内視鏡挿通路３０６と処置具挿通路３０８の各々の一部を形成する貫通孔３６２と貫通孔３６４とが設けられる。先端面３０４において、貫通孔３６２の開口が上述の第１先端開口３１２に相当し、貫通孔３６４の開口が第２先端開口３１６に相当する。
【００５９】
なお、以上の外套管長筒体３２０、基端キャップ３４０、及び先端キャップ３６０は、外套管３００を構成する構成部材の一形態を示し、外套管３００は、本実施の形態の構成に限らない。例えば、外套管長筒体３２０と基端キャップ３４０、又は、外套管長筒体３２０と先端キャップ３６０とは、一体形成されたものでもよく、また、全体が一体形成されたものでもよい。
【００６０】
また、外套管３００は、第１医療器具の第１挿入部と第２医療器具の第２挿入部とが挿通され、第１挿入部と第２挿入部とを体腔内に案内する筒状のものであればよい。
【００６１】
スライダ４００は、外套管長筒体３２０内（空洞部３２４）に収容され、基準軸３００ａ方向に進退自在に支持される。このスライダ４００は、内視鏡挿通路３０６に挿通された内視鏡挿入部１０２と、処置具挿通路３０８に挿通された処置具挿入部２０２とに連結し、内視鏡挿入部１０２と処置具挿入部２０２とを連動させて前後方向（軸方向）に進退移動させる連動部材の一実施の形態を示す。
【００６２】
特にスライダ４００は、内視鏡挿入部１０２と処置具挿入部２０２のいずれか一方の前後方向（軸方向）への進退移動に対して他方が連動しない、即ち、独立して移動する不感帯領域と、いずれか一方の進退移動に対して他方が連動する感帯領域とを有し、不感帯領域では外套管３００の基準軸３００ａ方向に関して処置具２００の先端に対する内視鏡１００の先端の相対位置を変化させる連動部材である。即ち、内視鏡挿入部１０２は、スライダ４００によって、処置具挿入部２０２の軸方向の進退移動に対して遊びを持って連動するようになっている。
【００６３】
図５は、図４においてスライダ４００が配置されている部分を拡大して示した拡大断面図であり、内視鏡挿通路３０６及び処置具挿通路３０８の各々に内視鏡挿入部１０２及び処置具挿入部２０２を挿通させた状態を示す。図６は、図５におけるＶＩ−ＶＩ矢視断面図である。
【００６４】
また、図７及び図８は、各々、スライダ４００を後左上方向及び後右上方向から示した斜視図である。
【００６５】
これらの図に示すように、スライダ４００は、スライダ４００の構成部品を保持するスライダ本体４０２を有する。図６に示すように、スライダ本体４０２の平坦な上面４０４（図７及び図８参照）及び下面４０６には、基準軸３００ａ方向（前後方向）に延在する凸条部４０８及び４１０が形成される。
【００６６】
一方、外套管長筒体３２０内の上部及び下部の各々には、基端キャップ３４０と先端キャップ３６０との間に掛け渡された図６に示す左右一対の長板状のガイド板３７４及び３７４と、ガイド板３７６及び３７６とが支持されており、ガイド板３７４と３７４との間の隙間、及び、ガイド板３７６と３７６との間の隙間によって、基端キャップ３４０から先端キャップ３６０まで基準軸３００ａ方向に沿って延在するガイド溝３７０及び３７２が形成される。
【００６７】
スライダ本体４０２の凸条部４０８及び４１０の各々は、外套管長筒体３２０内において、ガイド溝３７０及び３７２に嵌入し、上面４０４及び下面４０６の各々がガイド板３７４と３７４、及び、３７６と３７６に接触又は近接した状態に配置される。
【００６８】
これにより、スライダ４００は、外套管長筒体３２０内において前後方向に進退移動可能に支持され、かつ、上下左右方向への移動や全方向（前後、左右、上下の３軸周り方向）への回転が規制された状態（少なくとも基準軸３００ａ周りの回転が不能な状態）で支持される。また、スライダ４００は、基端キャップ３４０に当接する位置を後端とし、先端キャップ３６０に当接する位置を前端とする移動可能範囲内で進退移動する。
【００６９】
なお、ガイド溝３７０及び３７２は、外套管長筒体３２０内に配置されたガイド板３７４、３７４、３７６及び３７６によって形成されるものではなく、外套管長筒体３２０の外壁３２２に形成されたものであってもよいし、他の構成により形成されたものであってもよい。
【００７０】
また、スライダ４００は、図４に示すように内視鏡挿入部１０２と連結（係合）する左側の内視鏡連結部４２０と、処置具挿入部２０２と連結（係合）する右側の処置具連結部４２２とを有する。
【００７１】
スライダ本体４０２の左側に設けられた内視鏡連結部４２０は、外套管長筒体３２０内において内視鏡挿通路３０６となる空間を確保するとともに、図５のようにして内視鏡挿入部１０２が挿通される貫通孔４２４（図６、図７及び図８参照）と、貫通孔４２４に固定され、内視鏡挿通路３０６に挿通された内視鏡挿入部１０２の外周面（側面）に圧接する圧接部材４２６とを備える。
【００７２】
圧接部材４２６は、図６及び図７に示すように弾性ゴムなどの弾性材により円筒状に形成され、図７のようにスライダ本体４０２の左側面４３１に形成された開口４３０からスライダ本体４０２の貫通孔４２４と同軸上となる位置まで嵌入されてスライダ本体４０２に固定される。
【００７３】
これによって、内視鏡挿通路３０６に内視鏡挿入部１０２を挿通させたときには、図５のように内視鏡挿入部１０２が貫通孔４２４を挿通し、かつ、内視鏡挿入部１０２の外周面に圧接部材４２６が圧接（係合）し、内視鏡挿入部１０２の中心軸が内視鏡挿通軸３０６ａと同軸上に配置される。
【００７４】
そして、内視鏡挿入部１０２とスライダ４００（スライダ本体４０２）とが圧接部材４２６を介して連動可能に連結（係合）され、内視鏡挿入部１０２の前後方向（軸方向）への進退移動に連動してスライダ４００（スライダ本体４０２）も一体的に進退移動する状態となる。
【００７５】
なお、ここでの連結は、圧接部材４２６の弾性力によるものなので、スライダ４００（スライダ本体４０２）に対して連結される内視鏡挿入部１０２の係合位置（内視鏡挿入部１０２においてスライダ４００が係合される位置）を任意に調整することができる。
【００７６】
図４のようにスライダ本体４０２の右側に設けられた処置具連結部４２２は、図５に示すように処置具挿入部２０２に連結されるスリーブ４４０（図６及び図８参照）と、スリーブ４４０を前後方向に進退移動可能にガイドするガイド部４６０とを備える。
【００７７】
スリーブ４４０は、図６に示すように円筒状に形成されたスリーブ本体４４４（枠体）と、スリーブ本体４４４の内側に固定される圧接部材４４６とを備える。圧接部材４４６は、弾性ゴムなどの弾性材により円筒状に形成されている。
【００７８】
これにより、処置具挿通路３０８に処置具挿入部２０２を挿通させたときには、図５のように処置具挿入部２０２が圧接部材４４６の内側（図６の貫通孔４５０）を挿通し、かつ、処置具挿入部２０２の外周面に圧接部材４４６が圧接（係合）し、処置具挿入部２０２の中心軸が処置具挿通軸３０８ａと同軸上に配置される。
【００７９】
そして、処置具挿入部２０２とスリーブ４４０とが圧接部材４４６を介して連動可能に連結され、処置具挿入部２０２の前後方向（軸方向）への進退移動に連動してスリーブ４４０も一体的に進退移動する。
【００８０】
また、処置具挿入部２０２の軸周りの回転に連動してスリーブ４４０もスライダ本体４０２に対して回転する。
【００８１】
なお、ここでの処置具挿入部２０２とスリーブ４４０との連結は、圧接部材４４６の弾性力によるものなので、スリーブ４４０に対して連結される処置具挿入部２０２の係合位置（処置具挿入部２０２においてスリーブ４４０が係合される位置）を任意に調整することができる。
【００８２】
一方、処置具連結部４２２のガイド部４６０は、図６及び図８に示すように、外套管長筒体３２０の空洞部３２４内において基準軸３００ａ（処置具挿通軸３０８ａ）方向に延びるスライダ本体４０２のガイド面４６２と、外套管長筒体３２０の内周面とで囲まれた空間により形成される。スリーブ４４０は、このガイド部４６０の空間に収容配置され、前後方向に移動可能に、かつ、軸周りに回転可能に支持され、上下左右方向への移動が規制された状態で支持される。
【００８３】
また、ガイド部４６０は、スライダ本体４０２の基端から先端までの範囲内となるように設けられ、図５及び図８に示すようにスライダ本体４０２の基端側と先端側の各々に、ガイド面４６２の端縁に沿ってガイド面４６２に直交する方向に突出形成された端縁部４６６及び４６８を有する。
【００８４】
これらの端縁部４６６及び４６８は、ガイド部４６０の空間に配置されたスリーブ４４０が前後方向に進退移動した際に、スリーブ４４０の端部に当接してスリーブ４４０の移動を規制する。
【００８５】
したがって、スリーブ４４０は、端縁部４６６に当接する位置を後端、端縁部４６８の当接する位置を前端とする移動可能範囲内で進退移動する。
【００８６】
以上のように構成されたスライダ４００の作用について、内視鏡用外科手術装置１０を使用して患者の体腔内の患部の処置を行う際の操作と共に説明する。
【００８７】
まず、図１２の（Ａ）部に示すように、外套管３００を患者の体壁に刺入し、体腔内に気腹ガスを注入した後、外套管３００の内視鏡挿通路３０６と処置具挿通路３０８の各々に内視鏡１００（内視鏡挿入部１０２）と、処置具２００（処置具挿入部２０２）とを挿通させて外套管３００に内視鏡挿入部１０２と処置具挿入部２０２とを装着したものとする。このとき、内視鏡挿入部１０２は、スライダ４００のスライダ本体４０２に連結され、処置具挿入部２０２はスライダ４００のスリーブ４４０に連結されている。
【００８８】
そして、図１２の（Ａ）部の状態が、図９に示すようにスリーブ４４０がスライダ本体４０２（ガイド部４６０）に対する移動可能範囲の前端及び後端のいずれにも到達していない状態であるとすると、術者が処置具２００の操作部２０４を把持している手で、処置具挿入部２０２を微小に前進させると、外套管３００（外套管長筒体３２０）に対してスライダ本体４０２が移動せず、スライダ本体４０２に対してスリーブ４４０のみがスライダ本体４０２に対する移動可能範囲内で前進移動する。そのため、スリーブ４４０がスライダ本体４０２に対する移動可能範囲の前端に到達するまでの処置具挿入部２０２の前進移動に対しては、図１２の（Ｂ）部に示すように内視鏡挿入部１０２が静止した状態で処置具挿入部２０２のみが前進する。即ち、スライダ４００は、処置具挿入部２０２の進退移動に対して内視鏡挿入部１０２が連動しない不感帯領域を有し、このときの処置具２００の前進操作はスライダ４００の不感帯領域での進退操作となる。
【００８９】
同様に、図９に示すようにスリーブ４４０がスライダ本体４０２（ガイド部４６０）に対する移動可能範囲の前端及び後端のいずれにも到達していない状態であるとすると、術者が処置具２００の操作部２０４を把持している手で、処置具挿入部２０２を微小に後退させると、外套管３００（外套管長筒体３２０）に対してスライダ本体４０２が移動せず、スライダ本体４０２に対してスリーブ４４０のみがスライダ本体４０２に対する移動可能範囲内で後退移動する。そのため、スリーブ４４０がスライダ本体４０２に対する移動可能範囲の後端に到達するまでの処置具挿入部２０２の後退移動に対しては、図１２の（Ｃ）部に示すように内視鏡挿入部１０２が静止した状態で処置具挿入部２０２のみが後退する。即ち、このときの処置具２００の後退操作はスライダ４００の不感帯領域での後退操作となる。
【００９０】
したがって、これらの処置具２００の微小な進退操作、即ち、不感帯領域での進退操作に対しては、内視鏡１００が進退移動しないので、モニタ１１２に内視鏡画像として表示される処置具２００の先端部位や体腔内部位等の観察部位の範囲は変化せず、処置具２００の微小変位に応じて観察部位の画像の大きさが変動してしまうことを防止することができる。これによって、遠近感を適切に保つことができ、安定した内視鏡画像を得ることができる。
【００９１】
一方、図９に示すようにスリーブ４４０がスライダ本体４０２に対する移動可能範囲の前端及び後端のいずれにも到達していない状態において、術者が処置具２００の操作部２０４を把持している手で、処置具挿入部２０２を大きく前進させると、スライダ４００のスリーブ４４０が移動可能範囲の前端に当接するまでの不感帯領域での前進移動の後、図１０に示すようにスリーブ４４０がスライダ本体４０２に対する移動可能範囲の前端に到達した状態となる。
【００９２】
そして、更に、処置具挿入部２０２が前進移動すると、処置具挿入部２０２とともにスリーブ４４０及びスライダ本体４０２が外套管長筒体３２０に対して前進移動し、内視鏡挿入部１０２が処置具挿入部２０２と連動して前進移動する。
【００９３】
そのため、スリーブ４４０がスライダ本体４０２に対する移動可能範囲の前端に到達した後の処置具挿入部２０２の前進移動に対しては、図１２の（Ａ）部と同じ状態を示した図１３の（Ａ）部の状態に対して図１３の（Ｂ）部に示すように処置具挿入部２０２と連動して内視鏡挿入部１０２が前進する。即ち、スライダ４００は、処置具挿入部２０２の進退移動に対して内視鏡挿入部１０２が連動する感帯領域を有し、このときの処置具２００の前進操作はスライダ４００の感帯領域での前進操作となる。
【００９４】
同様に、図９に示すようにスリーブ４４０がスライダ本体４０２に対する移動可能範囲の前端及び後端のいずれにも到達していない状態において、術者が処置具２００の操作部２０４を把持している手で、処置具挿入部２０２を大きく後退させると、スライダ４００のスリーブ４４０が移動可能範囲の後端に当接するまでの不感帯領域での後退移動の後、図１１に示すようにスリーブ４４０がスライダ本体４０２に対する移動可能範囲の後端に到達した状態となる。
【００９５】
そして、更に、処置具挿入部２０２が後退移動すると、処置具挿入部２０２とともにスリーブ４４０及びスライダ本体４０２が外套管長筒体３２０に対して後退移動し、内視鏡挿入部１０２が処置具挿入部２０２と連動して後退移動する。
【００９６】
そのため、スリーブ４４０がスライダ本体４０２に対する移動可能範囲の後端に到達した後の処置具挿入部２０２の後退移動に対しては、図１３の（Ｃ）部に示すように処置具挿入部２０２と連動して内視鏡挿入部１０２が後退する。即ち、このときの処置具２００の後退操作はスライダ４００の感帯領域での後退操作となる。
【００９７】
したがって、これらの処置具２００の大きな進退操作、即ち、感帯領域での進退操作に対しては、内視鏡１００が進退移動するので、モニタ１１２に表示される内視鏡画像に写り込む観察部位の範囲が処置具２００の進退移動に追従するように連続的に変更される。
【００９８】
これにより、処置具２００の操作に応じて内視鏡画像に写り込む処置具２００の先端部位以外の観察部位の画像の大きさ及び観察部位の範囲の大きさが変化するので、術者が望む画像を簡単に得ることができる。
【００９９】
以上のように、術者が処置具挿入部２０２を軸方向に進退操作したとき、処置具挿入部２０２の軸方向への変位が大きい場合（大振幅の進退動作が行われた場合）には、前後上下左右に内視鏡挿入部１０２も連動して進退移動するので、術者の意図通りに内視鏡１００の視野や向き等を変えることができる。
【０１００】
また、視野は常に処置具２００の先端部位を撮像することになり、処置するために最適な画像が自動で提供される。処置する箇所以外の部分を確認したい場合は、処置具挿入部２０２を動かすことにより確認ができ、術者が思い通りに操作できる。
【０１０１】
したがって、術者とは別に内視鏡１００の操作を行う助手（スコピスト）を不要にすることができ、術者が助手に対して内視鏡１００の視野や向き等を逐次指示しなければならないという煩わしさも無くすことができる。
【０１０２】
また、処置具挿入部２０２の軸方向への変位が小さい場合（小振幅の進退動作が行われた場合）には、内視鏡挿入部１０２が連動しないため、内視鏡画像が不要に変動してしまうことを防止することができ、遠近感を適切に保ち、安定した内視鏡画像を提供することができる。
【０１０３】
次に、本発明の実施の形態の外套管３００の内部構造について説明する。上記参考形態は内視鏡挿入部１０２と処置具挿入部２０２とを連動させる連動部材としてスライダ４００を採用したものであるが、本発明の実施の形態では、スライダ４００に対して簡易な構成の連動部材であってスライダ４００と類似の作用効果を奏する連動部材を採用する。
【０１０４】
図１４は、外套管３００を基準軸３００ａに沿って切断した断面において、本発明の実施の形態の連動部材６００の構成を示した断面図であり、図１５は、図１４における連動部材６００の周辺部分を拡大して示した拡大図である。また、図１６は、図１５におけるＸＶＩ−ＸＶＩ矢視断面図である。
【０１０５】
なお、本実施の形態の連動部材６００を内蔵した外套管３００において、上記参考形態のスライダ４００を内蔵した外套管３００と同一又は類似作用の部材には同一符号を付す。また、図１５は、外套管３００の内視鏡挿通路３０６と処置具挿通路３０８とに内視鏡挿入部１０２と処置具挿入部２０２とを挿通させた状態を示す。
【０１０６】
これらの図に示すように連動部材６００は、外套管３００の内視鏡挿通路３０６に挿通された内視鏡挿入部１０２を保持する第１保持部としての第１スリーブ６０２と、外套管３００の処置具挿通路３０８に挿通された処置具挿入部２０２を保持する第２保持部としての第２スリーブ６０４と、第１スリーブ６０２と第２スリーブ６０４とを連結する連結部材６０６とを有する。
【０１０７】
第１スリーブ６０２は、例えば、上記参考形態のスライダ４００におけるスリーブ４４０と同様に構成され、図１５及び図１６のように円筒状に形成された枠体であるスリーブ本体６２０と、スリーブ本体６２０の内側に固定され、弾性材により円筒状に形成された圧接部材６２２と、を有する。
【０１０８】
第２スリーブ６０４も同様に、図１５及び図１６のように円筒状に形成された枠体であるスリーブ本体６４０と、スリーブ本体６４０の内側に固定され、弾性材により円筒状に形成された圧接部材６４２と、を有する。
【０１０９】
また、図１６に示すように、外套管３００の内部（外套管長筒体３２０内）の上部及び下部には、図６に示したガイド板３７４及び３７４と、ガイド板３７６及び３７６とにより形成されるガイド溝３７０及び３７２と同様に、基端キャップ３４０と先端キャップ３６０との間に基準軸３００ａ方向に沿って延在するガイド板６６０、６６２及び６６４と、ガイド板６６６、６６８及び６７０とが掛け渡され、それらのガイド板６６０、６６２及び６６４と、ガイド板６６６、６６８及び６７０とにより基準軸３００ａ方向に沿って延在するガイド溝６７２及び６７４と、ガイド溝６７６及び６７８とが形成される。
【０１１０】
一方、第１スリーブ６０２（スリーブ本体６２０）の外周面の上部と下部には、軸３００ａ方向（前後方向）に延在する凸条部６８０及び６８２とが形成される。
【０１１１】
そして、それらの凸条部６８０及び６８２の各々が、ガイド溝６７２及び６７６に嵌入するとともに、第１スリーブ６０２の外周面がガイド板６６０、６６２、６６６及び６６８に接触又は近接した状態に配置される。
【０１１２】
同様に、第２スリーブ６０４（スリーブ本体６４０）の外周面の上部と下部には、軸３００ａ方向（前後方向）に延在する凸条部６８４及び６８６とが形成される。
【０１１３】
そして、それらの凸条部６８４及び６８６の各々が、ガイド溝６７４及び６７８に嵌入するとともに、第２スリーブ６０４の外周面がガイド板６６２、６６４、６６８及び６７０に接触又は近接した状態に配置される。
【０１１４】
これにより、第１スリーブ６０２は、その中心軸が内視鏡挿通軸３０６ａと略同軸上に配置されると共に、前後方向に進退移動可能に、かつ、その中心軸周りの回転が不能に支持される。
【０１１５】
また、第２スリーブ６０４は、その中心軸が処置具挿通軸３０８ａと略同軸上に配置されると共に、前後方向に進退移動可能に、かつ、その中心軸周りの回転が不能に支持される。
【０１１６】
なお、第１スリーブ６０２及び第２スリーブ６０４を外套管３００の基準軸３００ａ方向に進退移動可能に支持する機構は本実施の形態と異なるものであってもよい。
【０１１７】
このような第１スリーブ６０２及び第２スリーブ６０４によれば、図１５のように内視鏡挿通路３０６に内視鏡挿入部１０２を挿通させたときには、内視鏡挿入部１０２が第１スリーブ６０２の貫通孔６０２ａ（圧接部材６２２の内周側の貫通孔６０２ａ、図１６参照）を挿通して内視鏡挿入部１０２の外周面に圧接部材６２２が圧接（係合）する。これにより、第１スリーブ６０２と内視鏡挿入部１０２とが連結する。
【０１１８】
また、図１５のように、処置具挿通路３０８に処置具挿入部２０２を挿通させたときには、処置具挿入部２０２が第２スリーブ６０４の貫通孔６０４ａ（圧接部材６４２の内周側の貫通孔６０４ａ、図１６参照）を挿通して処置具挿入部２０２の外周面に圧接部材６４２が圧接（係合）する。これにより、第２スリーブ６０４と処置具挿入部２０２とが連結する。
【０１１９】
なお、ここでの第１スリーブ６０２と内視鏡挿入部１０２との連結、及び、第２スリーブ６０４と処置具挿入部２０２との連結は、圧接部材６２２、６４２の弾性力によるものなので、内視鏡挿入部１０２において第１スリーブ６０２が連結される位置や処置具挿入部２０２において第２スリーブ６０４が連結される位置を任意に調整することができる。
【０１２０】
連結部材６０６は、図１５及び図１６に示すように、一方の第１端部６０６ａが第１固定部として第１スリーブ６０２に固定され、他方の第２端部６０６ｂが第２固定部として第２スリーブ６０４に固定され、第１端部６０６ａと第２端部６０６ｂとの間に弾性体を有する。弾性体は、例えば、ゴム、バネ、金属の弾性力を利用した部材、プラスチック等の樹脂の弾力を利用した部材、および空気の弾性力を利用した部材等を含む。
【０１２１】
また、第１端部６０６ａは、例えば第１スリーブ６０２の外周面の右側側部であって前後方向の中央付近に固定され、第２端部６０６ｂは、例えば第２スリーブ６０４の外周面の左側側部であって前後方向の中央付近に固定される。
【０１２２】
ただし、第１端部６０６ａが固定される第１スリーブ６０２における第１固定位置、及び、第２端部６０６ｂが固定される第２スリーブ６０４における第２固定位置は特定の位置に限らない。
【０１２３】
この連結部材６０６は、第１スリーブ６０２と第２スリーブ６０４の前後方向の相対移動に応じて伸縮状態が変化し、伸張して長くなるほど第１端部６０６ａと第２端部６０６ｂとの間の引張力を増大させる。
【０１２４】
このような連結部材６０６によれば、連結部材６０６は、連結部材６０６の第１端部６０６ａと第２端部６０６ｂとの前後方向の位置が一致している状態のときに第１スリーブ６０２と第２スリーブ６０４との間に基準軸３００ａ方向（前後方向）への引張力を生じさせない基準状態を有する。
【０１２５】
ここで、連結部材６０６がその基準状態の場合における第１端部６０６ａと第２端部６０６ｂとの間の距離を自然長というものとしてＬ１で表し、その状態を連結部材６０６が自然長Ｌ１の状態というものとする。ただし、ここでの自然長Ｌ１は必ずしも連結部材６０６に何も負荷をかけていないときの長さを示すものではなく、連結部材６０６が自然長Ｌ１の状態のときに第１端部６０６ａと第２端部６０６ｂとの間に引張力が働く状態であってもよい。
【０１２６】
一方、外套管３００に対する第２スリーブ６０４の進退移動等によって連結部材６０６が自然長Ｌ１の状態に対して第１スリーブ６０２と第２スリーブ６０４の前後方向の相対移動が生じた際の第１端部６０６ａと第２端部６０６ｂとの間の距離をＬ２で表し、その状態を連結部材６０６が長さＬ２の状態というものとする。
【０１２７】
このとき、連結部材６０６は、Ｌ１よりもＬ２が長くなると、外套管３００の基準軸３００ａ方向（前後方向）に沿って第１端部６０６ａと第２端部６０６ｂとを互いに近づける方向に付勢する力を発生する。
【０１２８】
また、連結部材６０６は、Ｌ１よりもＬ２が長くなるほど、前後方向に沿って第１端部６０６ａと第２端部６０６ｂとを互いに近づける方向に付勢する力が大きくなる。
【０１２９】
したがって、連結部材６０６が自然長Ｌ１の状態に対する第１スリーブ６０２と第２スリーブ６０４の前後方向の相対移動の移動量が大きいほど、即ち、連結部材６０６の長さＬ２と自然長Ｌ１との差が大きいほど、第２スリーブ６０４の前後方向への移動に対する第１スリーブ６０２の連動の応答性（第２スリーブ６０４の前後方向への移動に対する第１スリーブ６０２の追従性）が速くなる。反対に上記の移動量が小さいほど、即ち、連結部材６０６の長さＬ２と自然長Ｌ１との差が小さいほど、上記の応答性が遅くなる。
【０１３０】
ここで、第２スリーブ６０４の前後方向への移動に対する第１スリーブ６０２の連動の応答性（以下、第２スリーブ６０４に対する第１スリーブ６０２の応答性という。）は、第１スリーブ６０２の前後方向の移動を妨げる抵抗力であって連結部材６０６以外から受ける抵抗力が大きいほど遅くなる。
【０１３１】
そこで外套管３００には、その応答性を適度に遅くするために、そのような抵抗力を発生させるための抵抗力発生部が設けられる。
【０１３２】
例えば、図１７に示すように外套管３００から内視鏡挿入部１０２が繰り出される外套管３００の第１先端開口３１２の付近の貫通孔３６２（先端キャップ３６０の貫通孔３６２）に抵抗力発生部６０８が設けられる。
【０１３３】
抵抗力発生部６０８は例えば摩擦体により形成され、内視鏡挿通路３０６に挿通されて第１スリーブ６０２が連結された内視鏡挿入部１０２に周方向の一部又は全体に接触するように設けられる。
【０１３４】
これによって、第１スリーブ６０２と共に内視鏡挿入部１０２が前後方向に移動した際に、内視鏡挿入部１０２が抵抗力発生部６０８に摺接して摩擦による抵抗力を受ける。そして、その抵抗力が内視鏡挿入部１０２を介して第１スリーブ６０２に与えられる。
【０１３５】
また、抵抗力発生部６０８で発生させる抵抗力の大きさは、抵抗力発生部６０８と内視鏡挿入部１０２との接触面積等により調整することができ、その抵抗力の大きさを調整することで第２スリーブ６０４に対する第１スリーブ６０２の応答性が適切となるように調整される。
【０１３６】
なお、本実施の形態では、一例として、抵抗力発生部は摩擦体により構成されるが、これに限らず、例えば、ダッシュポットのような粘性体、或いはそれらを組み合わせたものなどで構成されていてもよい。
【０１３７】
また、このような抵抗力発生部は、外套管３００を構成する部材と外套管３００を挿通した内視鏡挿入部１０２との間、又は、外套管３００を構成する部材と第１スリーブ６０２との間となる任意の部分に設けることができ、また、抵抗力を発生させるために追加された特別な構成要素でなくてもよい。
【０１３８】
例えば、図１４のように、外套管３００の内視鏡挿通路３０６には外套管３００の内部空間の気密を確保する弁部材３４６（基端キャップ３４０における弁部材３４６）が設けられる。この弁部材３４６を内視鏡挿入部１０２に摺接するため抵抗力発生部とすることができる。
【０１３９】
また、図１６のように第１スリーブ６０２の外周面（スリーブ本体６２０９の外周面）は、外套管長筒体３２０の内周面、又は、ガイド板６６０、６６２、６６６及び６６８に接触又は近接した状態に配置される。したがって、第１スリーブ６０２の外周面に、外套管長筒体３２０、ガイド板６６０、６６２、６６６及び６６８のいずれかに接触する抵抗力発生部を設けることができる。
【０１４０】
更に、抵抗力発生部は、第１スリーブ６０２と第２スリーブ６０４のうちのいずれか一方又は両方に対して設ける態様とすることができる。第１スリーブ６０２と第２スリーブ６０４の両方に対して抵抗力発生部を設けた場合には、第２スリーブ６０４に対する第１スリーブ６０２の応答性と同様に内視鏡挿入部１０２が進退移動した際の第１スリーブ６０２に対する第２スリーブ６０４の応答性も調整することができる。
【０１４１】
以上の本発明の実施の形態の連動部材６００の作用について説明する。
【０１４２】
スライダ４００を搭載した外套管３００において示した図１２の（Ａ）部と同様、図２０の（Ａ）部に示すように、本実施の形態の連動部材６００を搭載した外套管３００を患者の体壁に刺入し、体腔内に気腹ガスを注入した後、外套管３００の内視鏡挿通路３０６と処置具挿通路３０８の各々に内視鏡１００（内視鏡挿入部１０２）と、処置具２００（処置具挿入部２０２）とを挿通させて外套管３００に内視鏡挿入部１０２と処置具挿入部２０２とを装着したものとする。
【０１４３】
このとき、内視鏡挿入部１０２は、第１スリーブ６０２に連結され、処置具挿入部２０２は第２スリーブ６０４に連結されている。
【０１４４】
そして、図２０の（Ａ）部における連動部材６００の状態が、図１５のように連結部材６０６の第１端部６０６ａと第２端部６０６ｂとの前後方向の位置が略一致している状態、即ち、連結部材６０６が自然長Ｌ１の状態であるものとする。
【０１４５】
このとき術者が処置具２００の操作部２０４を把持している手で、処置具挿入部２０２を微小に前進させると、その直後では、連結部材６０６の長さＬ２と自然長Ｌ１との差が小さく、第２スリーブ６０４に対する第１スリーブ６０２の応答性が遅いことから、第１スリーブ６０２が外套管３００に対して略停止した状態となる。
【０１４６】
そして、図１８に示すように第２スリーブ６０４の前進移動によって連結部材６０６が伸張し、第２スリーブ６０４に対して第１スリーブ６０２が相対的に後退移動する。即ち、連結部材６０６の長さＬ２と自然長Ｌ１との差が徐々に大きくなる。
【０１４７】
したがって、処置具挿入部２０２（第２スリーブ６０４）の前進移動の直後では、図２０の（Ｂ）部に示すように内視鏡挿入部１０２が略停止した状態で処置具挿入部２０２のみが前進する。
【０１４８】
このように処置具挿入部２０２を微小に前進させた後、続いて術者が、処置具挿入部２０２を停止させた状態で保持すると、連結部材６０６の引張力により、連結部材６０６の第１端部６０６ａと第２端部６０６ｂとが近づく方向、即ち、連結部材６０６の長さＬ２と自然長Ｌ１との差が零となるように第１スリーブ６０２が前進移動する。
【０１４９】
そして、図１５に示すように連結部材６０６の第１端部６０６ａと第２端部６０６ｂとの前後方向の位置が略一致した状態、即ち、連結部材６０６が自然長Ｌ１の状態になると、第１スリーブ６０２の前進移動が停止する。
【０１５０】
したがって、術者が処置具挿入部２０２を停止させた状態で保持している間、内視鏡挿入部１０２のみが前進し、図２０の（Ｃ）部に示すように内視鏡挿入部１０２と処置具挿入部２０２との相対的な位置関係が図２０の（Ａ）部と同じ状態になると、内視鏡挿入部１０２の前進移動が停止する。
【０１５１】
なお、説明は省略するが、術者が処置具挿入部２０２を微小に後退させたときも処置具挿入部２０２を微小に前進させたときと同様の動作となる。
【０１５２】
このように、連動部材６００は、処置具挿入部２０２の微小な進退操作に対して内視鏡挿入部１０２が一時的に連動しない低応答領域を形成する。
【０１５３】
これに対し、図２０の（Ａ）部の状態と同様に、連動部材６００が、図１５に示すように連結部材６０６の第１端部６０６ａと第２端部６０６ｂとの前後方向の位置が略一致している状態、即ち、連結部材６０６が自然長Ｌ１の状態であるものとする。
【０１５４】
そして、術者が処置具２００の操作部２０４を把持している手で、処置具挿入部２０２を大きく前進させたとする。
【０１５５】
このとき、処置具挿入部２０２の前進移動の移動量が小さい初期の段階では、処置具挿入部２０２を微小に前進移動させた上述の場合と同様に、連結部材６０６の長さＬ２と自然長Ｌ１との差が小さく、第２スリーブ６０４に対する第１スリーブ６０２の応答性が遅いことから、第１スリーブ６０２が外套管３００に対して略停止した状態となる。
【０１５６】
そして、図１８に示したように第２スリーブ６０４の前進移動によって連結部材６０６が伸張し、第２スリーブ６０４に対して第１スリーブ６０２が第１位置から相対的に後退移動する。即ち、連結部材６０６の長さＬ２と自然長Ｌ１との差が徐々に大きくなる。
【０１５７】
続いて、処置具挿入部２０２の前進移動が継続し、その移動量が大きくなると、連結部材６０６が更に伸張し、連結部材６０６の長さＬ２と自然長Ｌ１との差が更に大きくなる。これにより、連結部材６０６の引張力が徐々に大きくなり、第２スリーブ６０４に対する第１スリーブ６０２の応答性が徐々に速くなる。
【０１５８】
そして、図１９に示すように連結部材６０６の長さＬ２と自然長Ｌ１との差がある程度大きくなった時点で、第１スリーブ６０２が外套管３００に対する前進移動を開始し、第２スリーブ６０４の前進移動と共に第２スリーブ６０４も前進移動する。
【０１５９】
したがって、処置具挿入部２０２（第２スリーブ６０４）の大きな前進移動の最中では、図２０の（Ａ）部と同じ状態を示した図２１の（Ａ）部の状態に対して図２１の（Ｂ）部に示すように、内視鏡挿入部１０２が略停止した状態で処置具挿入部２０２のみが微小に前進した後、処置具挿入部２０２とともに内視鏡挿入部１０２が前進する。
【０１６０】
このように処置具挿入部２０２を大きく前進させた後、続いて術者が、処置具挿入部２０２を停止した状態で保持すると、連結部材６０６の引張力により第１スリーブ６０２が継続して前進移動し、図１５に示すように連結部材６０６の第１端部６０６ａと第２端部６０６ｂとの前後方向の位置が略一致した状態、即ち、連結部材６０６が自然長Ｌ１の状態になると、第１スリーブ６０２の前進移動が停止する。
【０１６１】
したがって、処置具挿入部２０２を停止させた状態で保持している間、内視鏡挿入部１０２のみが前進し、図２１の（Ｃ）部に示すように内視鏡挿入部１０２と処置具挿入部２０２との相対的な位置関係が図２１の（Ａ）部と同じ状態になると、内視鏡挿入部１０２の前進移動が停止する。
【０１６２】
なお、説明は省略するが、術者が処置具挿入部２０２を大きく後退させたときも処置具挿入部２０２を大きく前進させたときと同様の動作となる。
【０１６３】
このように、連動部材６００は、処置具挿入部２０２の上記の低応答領域を超えた進退操作に対して、内視鏡挿入部１０２を連動させる高応答領域を形成する。
【０１６４】
以上の連動部材６００の作用によれば、上記参考形態のスライダ４００と類似の効果を奏する。
【０１６５】
即ち、術者が処置具挿入部２０２を軸方向に進退操作したとき、処置具挿入部２０２の軸方向への変位が大きい場合（大振幅の進退動作が行われた場合）には、前後上下左右に内視鏡挿入部１０２も連動して進退移動するので、術者の意図通りに内視鏡１００の視野や向き等を変えることができる。また、視野は常に処置具２００の先端部位を撮像することになり、処置するために最適な画像が自動で提供される。処置する箇所以外の部分を確認したい場合は、処置具挿入部２０２を動かすことにより確認ができ、術者が思い通りに操作できる。
【０１６６】
したがって、術者とは別に内視鏡１００の操作を行う助手（スコピスト）を不要にすることができ、術者が助手に対して内視鏡１００の視野や向き等を逐次指示しなければならないという煩わしさも無くすことができる。
【０１６７】
また、処置具挿入部２０２の軸方向への変位が小さい場合（小振幅の進退動作が行われた場合）には、内視鏡挿入部１０２が一時的に連動しないため、小振幅の進退動作が継続している間は内視鏡挿入部１０２が動かず内視鏡画像が不要に変動してしまうことを防止することができ、遠近感を適切に保ち、安定した内視鏡画像を提供することができる。
【０１６８】
更に、本発明の実施の形態の連動部材６００は連動部材を上記スライダ４００とした場合よりも構成が簡易であるため、外套管３００の低コスト化、構成の簡略化、細径化等を図ることができる。
【０１６９】
以上、本発明の実施の形態の連動部材６００において、連結部材６０６は、図１５に示したように第１スリーブ６０２と第２スリーブ６０４とを基準軸３００ａに直交する方向に連結するものとしたが、これに限らない。
【０１７０】
例えば、図２２に示すように、第１スリーブ６０２から突設された支持部７００と、第２スリーブ６０４から突設された支持部７０２との間を基準軸３００ａ方向に連結部材７１０により連結してもよい。連結部材７１０の一方の端部であり第１固定部である第１端部７１０ａは支持部７００を介して第１スリーブ６０２に固定され、連結部材７１０の他方の端部であり第２固定部である第２端部７１０ｂは支持部７０２を介して第２スリーブ６０４に固定される。
【０１７１】
連結部材７１０は、例えば、コイルバネであり、同図のようにコイルバネが伸縮していない自然長Ｌ１の状態において、第１スリーブ６０２と第２スリーブ６０４との間に基準軸３００ａ方向（前後方向）への力を生じさせない基準状態となる。
【０１７２】
これによれば、上記連結部材６０６による連動部材６００と全く同様の作用効果を奏する。
【０１７３】
即ち、外套管３００に対する第２スリーブ６０４の進退移動等によって連結部材７１０が自然長Ｌ１の状態に対して第１スリーブ６０２と第２スリーブ６０４の前後方向の相対移動が生じた際の第１端部７１０ａと第２端部７１０ｂとの間の距離をＬ２で表し、その状態を連結部材７１０が長さＬ２の状態というものとする。
【０１７４】
このとき、連結部材７１０は、図２３に示すようにＬ１よりもＬ２が長くなると、外套管３００の基準軸３００ａ方向（前後方向）に沿って第１端部７１０ａと第２端部７１０ｂを互いに近づける方向に付勢する力を発生する。
【０１７５】
また、連結部材７１０は、Ｌ１に対してＬ２が長くなるほど、前後方向に沿って第１端部７１０ａと第２端部７１０ｂとを互いに近づける方向に付勢する力が大きくなる。
【０１７６】
一方、連結部材７１０は、図２４に示すようにＬ１よりもＬ２が短くなると、外套管３００の基準軸３００ａ方向（前後方向）に沿って第１端部７１０ａと第２端部７１０ｂを互いに遠ざける方向に付勢する力を発生する。
【０１７７】
また、連結部材７１０は、Ｌ１よりもＬ２が短くなるほど、前後方向に沿って第１端部７１０ａと第２端部７１０ｂとを互いに遠ざける方向に付勢する力が大きくなる。
【０１７８】
したがって、上記連結部材６０６による連動部材６００と同様に、連結部材７１０が自然長Ｌ１の状態に対する第１スリーブ６０２と第２スリーブ６０４の前後方向の相対移動の移動量が大きいほど、即ち、連結部材７１０の長さＬ２と自然長Ｌ１との差が大きいほど、第２スリーブ６０４の前後方向への移動に対する第１スリーブ６０２の連動の応答性が速くなる。反対に上記の移動量が小さいほど、即ち、連結部材６０６の長さＬ２と自然長Ｌ１との差が小さいほど、上記の応答性が遅くなる。
【０１７９】
なお、第１スリーブ６０２の支持部７００と、第２スリーブ６０４の支持部７０２とはいずれが前側に配置されるものであってもよい。
【０１８０】
また、本発明の実施の形態の連動部材６００では、第１スリーブ６０２及び第２スリーブ６０４は各々の中心軸周りの回転が規制されており、それらに連結した内視鏡挿入部１０２及び処置具挿入部２０２の軸周りの回転も規制される。これに対して、内視鏡挿入部１０２と処置具挿入部２０２のうちのいずれか一方、又は、両方が軸周りの回転が可能なようにしてもよい。
【０１８１】
例えば、処置具挿入部２０２の軸周りの回転を可能にすることが好ましく、その場合には、第２スリーブ６０４を図２５の断面図のように構成すればよい。同図において第２スリーブ６０４は、上述の円筒状のスリーブ本体６４０と、スリーブ本体６４０の内周側においてスリーブ本体６４０に対して中心軸周りに回転可能に支持された円筒状の中間枠７２０と、中間枠７２０の内周側に固定された上述の円筒状の圧接部材６４２とから構成される。
【０１８２】
なお、第１スリーブ６０２についても図２５の第２スリーブ６０４と同様に構成することができる。
【０１８３】
また、上記実施の形態の外套管３００では、基準軸３００ａ、内視鏡挿通軸３０６ａ、及び、処置具挿通軸３０８ａが互いに平行なものとしたが、基準軸３００ａに対して、内視鏡挿通軸３０６ａと処置具挿通軸３０８ａのうちの少なくとも一方が斜め（非平行）であってもよい。
【０１８４】
例えば、基準軸３００ａを含み、上下方向が法線となる平面を水平基準面といい、基準軸３００ａを含み、左右方向が法線となる平面を鉛直基準面というものとすると、内視鏡挿通軸３０６ａと処置具挿通軸３０８ａとを水平基準面に投影した場合の水平基準面上では基準軸３００ａ、内視鏡挿通軸３０６ａ、及び処置具挿通軸３０８ａがいずれも互いに平行である。そして、内視鏡挿通軸３０６ａと処置具挿通軸３０８ａとを鉛直基準面に投影した場合の鉛直基準面上では基準軸３００ａと処置具挿通軸３０８ａとが互いに平行であるが、基準軸３００ａと内視鏡挿通軸３０６ａとが非平行であり、内視鏡挿通軸３０６ａが例えば後方下側から前方上側に向けて斜めに傾斜する形態としてもよい。
【０１８５】
これによって、外套管３００は、処置具挿入部２０２の案内方向に対して内視鏡挿入部１０２を斜めの方向に案内し、処置具挿入部２０２の先端の処置部２０６の先端部分が死角とならないように、内視鏡挿入部１０２の先端の観察部（観察窓１１６）と、処置具挿入部２０２の先端の処置部２０６との間の間隔を広げて処置部２０６の先端を観察画像上で視認できるようにすることができる。
【符号の説明】
【０１８６】
１０  内視鏡用外科手術装置
１００  内視鏡
１０２  内視鏡挿入部
１０４  ケーブル部
１０８  プロセッサ装置
１１０  光源装置
１１２  モニタ
１１６  観察窓
１１８  照明窓
２００  処置具
２０２  処置具挿入部
２０４  操作部
２０６  処置部
３００  外套管
３００ａ  基準軸
３０２  基端面
３０４  先端面
３０６  内視鏡挿通路
３０６ａ  内視鏡挿通軸
３０８  処置具挿通路
３０８ａ  処置具挿通軸
３１０  第１基端開口
３１２  第１先端開口
３１４  第２基端開口
３１６  第２先端開口
３２０  外套管長筒体
３２２  外壁
３２４  空洞部
３４０  基端キャップ
３４２、３４４  貫通孔
３４６、３４８  弁部材
３６０  先端キャップ
３６２、３６４  貫通孔
３７０、３７２  ガイド溝
３７４、３７６  ガイド板
４００  スライダ
４０２  スライダ本体
４０４  上面
４０６  下面
４０８、４１０  凸条部
４２０  内視鏡連結部
４２２  処置具連結部
４２４  貫通孔
４２６  圧接部材
４３０  開口
４３１  左側面
４４０  スリーブ
４４４  スリーブ本体
４４６  圧接部材
４５０  貫通孔
４６０  ガイド部
４６２  ガイド面
４６６、４６８  端縁部
６００  連動部材
６０２  第１スリーブ
６０２ａ  貫通孔
６０４  第２スリーブ
６０４ａ  貫通孔
６０６  連結部材
６０６ａ  第１端部
６０６ｂ  第２端部
６２０、６４０  スリーブ本体
６２２、６４２  圧接部材
６６０、６６２、６６４、６６６、６６８、６７０  ガイド板
６７２、６７４、６７６、６７８  ガイド溝
６８０、６８２、６８４、６８６  凸条部
７０２  支持部
７１０  連結部材
７１０ａ  第１端部
７１０ｂ  第２端部
７２０  中間枠
【図１】
2017018138.tif 000003
【図２】
2017018138.tif 000004
【図３】
2017018138.tif 000005
【図４】
2017018138.tif 000006
【図５】
2017018138.tif 000007
【図６】
2017018138.tif 000008
【図７】
2017018138.tif 000009
【図８】
2017018138.tif 000010
【図９】
2017018138.tif 000011
【図１０】
2017018138.tif 000012
【図１１】
2017018138.tif 000013
【図１２】
2017018138.tif 000014
【図１３】
2017018138.tif 000015
【図１４】
2017018138.tif 000016
【図１５】
2017018138.tif 000017
【図１６】
2017018138.tif 000018
【図１７】
2017018138.tif 000019
【図１８】
2017018138.tif 000020
【図１９】
2017018138.tif 000021
【図２０】
2017018138.tif 000022
【図２１】
2017018138.tif 000023
【図２２】
2017018138.tif 000024
【図２３】
2017018138.tif 000025
【図２４】
2017018138.tif 000026
【図２５】
2017018138.tif 000027
【手続補正書】
【提出日】平成30年1月24日(2018.1.24)
【手続補正１】
【補正対象書類名】特許請求の範囲
【補正対象項目名】請求項１
【補正方法】変更
【補正の内容】
【請求項１】
第１挿入部を有する第１医療器具と、
第２挿入部を有する第２医療器具と、
前記第１挿入部と前記第２挿入部とが挿通され、前記第１挿入部と前記第２挿入部とを体腔内に案内する筒状の外套管と、
前記外套管の内部に配置され、前記外套管の内部に挿通された前記第１挿入部を保持する第１保持部であって、前記第１挿入部を保持した状態で前記外套管の軸方向に移動する第１保持部と、
前記外套管の内部に配置され、前記外套管の内部に挿通された前記第２挿入部を保持する第２保持部であって、前記第２挿入部を保持した状態で前記外套管の軸方向に移動する第２保持部と、
前記第１保持部に固定された第１固定部と、前記第２保持部に固定された第２固定部とを有する連結部材であって、前記第１固定部と前記第２固定部との間に弾性体を有する連結部材と、
前記外套管の軸方向への前記第１保持部の移動を妨げる抵抗力を発生する抵抗力発生部と、
を備える内視鏡用外科手術装置。
【手続補正２】
【補正対象書類名】特許請求の範囲
【補正対象項目名】請求項１０
【補正方法】変更
【補正の内容】
【請求項１０】
第１医療器具の第１挿入部と第２医療器具の第２挿入部とが挿通され、前記第１挿入部と前記第２挿入部とを体腔内に案内する筒状の外套管と、
前記外套管の内部に配置され、前記外套管の内部に挿通された前記第１挿入部を保持する第１保持部であって、前記第１挿入部を保持した状態で前記外套管の軸方向に移動する第１保持部と、
前記外套管の内部に配置され、前記外套管の内部に挿通された前記第２挿入部を保持する第２保持部であって、前記第２挿入部を保持した状態で前記外套管の軸方向に移動する第２保持部と、
前記第１保持部に固定された第１固定部と、前記第２保持部に固定された第２固定部とを有する連結部材であって、前記第１固定部と前記第２固定部との間に弾性体を有する連結部材と、
前記外套管の軸方向への前記第１保持部の移動を妨げる抵抗力を発生する抵抗力発生部と、
を備える案内装置。
【手続補正３】
【補正対象書類名】明細書
【補正対象項目名】００１２
【補正方法】変更
【補正の内容】
【００１２】
上記目的を達成するために、本発明の一の態様に係る内視鏡用外科手術装置は、第１挿入部を有する第１医療器具と、第２挿入部を有する第２医療器具と、第１挿入部と第２挿入部とが挿通され、第１挿入部と第２挿入部とを体腔内に案内する筒状の外套管と、外套管の内部に配置され、外套管の内部に挿通された第１挿入部を保持する第１保持部であって、第１挿入部を保持した状態で外套管の軸方向に移動する第１保持部と、外套管の内部に配置され、外套管の内部に挿通された第２挿入部を保持する第２保持部であって、第２挿入部を保持した状態で外套管の軸方向に移動する第２保持部と、第１保持部に固定された第１固定部と、第２保持部に固定された第２固定部とを有する連結部材であって、第１固定部と第２固定部との間に弾性体を有する連結部材と、外套管の軸方向への第１保持部の移動を妨げる抵抗力を発生する抵抗力発生部と、を備える。
【手続補正４】
【補正対象書類名】明細書
【補正対象項目名】００２５
【補正方法】変更
【補正の内容】
【００２５】
また、上記目的を達成するために、本発明の他の態様に係る案内装置は、第１医療器具の第１挿入部と第２医療器具の第２挿入部とが挿通され、第１挿入部と第２挿入部とを体腔内に案内する筒状の外套管と、外套管の内部に配置され、外套管の内部に挿通された第１挿入部を保持する第１保持部であって、第１挿入部を保持した状態で外套管の軸方向に移動する第１保持部と、外套管の内部に配置され、外套管の内部に挿通された第２挿入部を保持する第２保持部であって、第２挿入部を保持した状態で外套管の軸方向に移動する第２保持部と、第１保持部に固定された第１固定部と、第２保持部に固定された第２固定部とを有する連結部材であって、第１固定部と第２固定部との間に弾性体を有する連結部材と、外套管の軸方向への第１保持部の移動を妨げる抵抗力を発生する抵抗力発生部と、を備える。
【手続補正５】
【補正対象書類名】明細書
【補正対象項目名】０１３９
【補正方法】変更
【補正の内容】
【０１３９】
また、図１６のように第１スリーブ６０２の外周面（スリーブ本体６２０の外周面）は、外套管長筒体３２０の内周面、又は、ガイド板６６０、６６２、６６６及び６６８に接触又は近接した状態に配置される。したがって、第１スリーブ６０２の外周面に、外套管長筒体３２０、ガイド板６６０、６６２、６６６及び６６８のいずれかに接触する抵抗力発生部を設けることができる。
【手続補正６】
【補正対象書類名】明細書
【補正対象項目名】０１５８
【補正方法】変更
【補正の内容】
【０１５８】
そして、図１９に示すように連結部材６０６の長さＬ２と自然長Ｌ１との差がある程度大きくなった時点で、第１スリーブ６０２が外套管３００に対する前進移動を開始し、第２スリーブ６０４の前進移動と共に第１スリーブ６０２も前進移動する。
【手続補正７】
【補正対象書類名】明細書
【補正対象項目名】０１７８
【補正方法】変更
【補正の内容】
【０１７８】
したがって、上記連結部材６０６による連動部材６００と同様に、連結部材７１０が自然長Ｌ１の状態に対する第１スリーブ６０２と第２スリーブ６０４の前後方向の相対移動の移動量が大きいほど、即ち、連結部材７１０の長さＬ２と自然長Ｌ１との差が大きいほど、第２スリーブ６０４の前後方向への移動に対する第１スリーブ６０２の連動の応答性が速くなる。反対に上記の移動量が小さいほど、即ち、連結部材７１０の長さＬ２と自然長Ｌ１との差が小さいほど、上記の応答性が遅くなる。
【国際調査報告】
2017018138.tif 000028
2017018138.tif 000029
2017018138.tif 000030
2017018138.tif 000031